【手続補正書】
【提出日】平成18年3月17日(2006.3.17)
【手続補正１】
【補正対象書類名】明細書
【補正対象項目名】発明の名称
【補正方法】変更
【補正の内容】
【発明の名称】符号化装置、画像処理装置、符号化方法、及び記録媒体
【手続補正２】
【補正対象書類名】明細書
【補正対象項目名】特許請求の範囲
【補正方法】変更
【補正の内容】
【特許請求の範囲】
【請求項１】  所定サイズにブロック化された１フレーム又は１フィールドの入力画像に対してブロック単位で、動き補償を用いた符号化処理を行って出力する符号化装置であって、
上記入力画像データを構成するブロックの中で、第１の所定位置に存在するブロックについて動きベクトルを検索する第１の検索手段と、
上記第１の検索手段にて検索された各ブロックの動きベクトルから、上記入力画像全体の動きを表す第１の動きベクトルを生成する第１の生成手段と、
上記第１の生成手段にて生成された第１の動きベクトルに基づいて、上記動き補償を用いた符号化処理を実行する符号化手段とを備え、
上記第１の生成手段は、上記第１の検索手段で上記フレーム内の一部のブロックから検索された動きベクトルに基づいて上記第１の動きベクトルを生成することを特徴とする符号化装置。
【請求項２】  上記第１の検索手段は、上記所定位置に存在するブロックを、上記入力画像を構成するブロックの中の最外周に位置するブロック、又は該最外周の一部のブロックとして、上記の動きベクトルの検索を行うことを特徴とする請求項１記載の符号化装置。
【請求項３】  上記符号化手段は、上記第１の動きベクトルを所定の閾値と比較した結果に基づいて、上記符号化処理を実行することを特徴とする請求項１記載の符号化装置。
【請求項４】  上記符号化手段は、フレーム又はフィールド間符号化、及びフレーム又はフィールド内符号化を含む複数の符号化方法による処理から、上記第１の動きベクトルに基づいた符号化処理を選択して実行することを特徴とする請求項１記載の符号化装置。
【請求項５】  上記符号化手段は、上記第１の動きベクトルに基づいて、上記動き補償のための動きベクトルの検索範囲を決定することを特徴とする請求項１記載の符号化装置。
【請求項６】  上記入力画像を構成するブロックの中で、第２の所定位置に存在するブロックについて動きベクトルを検索する第２の検索手段と、
上記第２の検索手段にて検索された各ブロックの動きベクトルから、上記第１の動きベクトルに対する参照用の第２の動きベクトルを生成する第２の生成手段とを更に含み、
上記符号化手段は、上記第１の生成手段にて生成された第１の動きベクトル、及び上記第２の生成手段にて生成された第２の動きベクトルに基づいて、上記動き補償を用いた符号化処理を実行することを特徴とする請求項１記載の符号化装置。
【請求項７】  上記符号化手段は、上記第１の動きベクトルと上記第２の動きベクトルの差分を所定の閾値と比較した結果に基づいて、上記動き補償を用いた符号化処理を実行することを特徴とする請求項６記載の符号化装置。
【請求項８】  上記符号化手段は、上記比較結果により、上記差分値が上記所定の閾値以下である場合、上記動き補償のために検索する符号化対象の入力画像を構成する全ブロックの動きベクトルを上記第２の動きベクトルに置き換えることを特徴とする請求項７記載の符号化装置。
【請求項９】  上記符号化手段は、上記動き補償のために検索した符号化対象の入力画像データを構成する全ブロックの動きベクトルをブロック単位で上記第１の動きベクトルと比較した結果に基づいて、上記動き補償を用いた符号化処理を実行することを特徴とする請求項１記載の符号化装置。
【請求項１０】  上記符号化手段は、上記比較結果により、対象ブロックの動きベクトルの大きさが上記第１のベクトル以下である場合、対象ブロックの動きベクトルの大きさを"０（ゼロ）"とした符号化対象の入力画像を構成する各ブロックの動きベクトルの大きさに基づいて、量子化係数の設定、変更、及び調整の何れかを行うことを特徴とする請求項９記載の符号化装置。
【請求項１１】  上記符号化手段は、上記各ブロックの動きベクトルを該動きベクトルの大きさに基づいて複数のグループに分類し、該グループ毎に上記量子化係数の設定、変更、及び調整の何れかを行うことを特徴とする請求項１０記載の符号化装置。
【請求項１２】  入力画像に対して所定の画像処理を行う画像処理装置であって、
請求項１〜１１の何れかに記載の符号化装置の機能と、該機能により符号化された上記入力画像を復号化する機能とを備えることを特徴とする画像処理装置。
【請求項１３】  所定サイズにブロック化された１フレーム又は１フィールドの入力画像に対してブロック単位で、動き補償を用いた符号化処理を行って出力する符号化方法であって、
上記入力画像データを構成するブロックの中で、第１の所定位置に存在するブロックについて動きベクトルを検索する第１の検索ステップと、
上記第１の検索ステップにて検索された各ブロックの動きベクトルから、上記入力画像全体の動きを表す第１の動きベクトルを生成する第１の生成ステップと、
上記第１の生成ステップにて生成された第１の動きベクトルに基づいて、上記動き補償を用いた符号化処理を実行する符号化ステップとを備え、
上記第１の生成ステップは、上記第１の検索ステップで上記フレーム内の一部のブロックから検索された動きベクトルに基づいて上記第１の動きベクトルを生成することを特徴とする符号化方法。
【請求項１４】  請求項１３に記載の符号化方法の処理ステップをコンピュータに実行させるためのプログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、ディジタル画像データを符号化する技術に関し、例えば、カメラ付きビデオレコーダ（カムコーダ）等に適用される符号化装置、画像処理装置、符号化方法、及び記録媒体に関するものである。
【手続補正４】
【補正対象書類名】明細書
【補正対象項目名】０００５
【補正方法】変更
【補正の内容】
【０００５】
そこで、本発明は、上記の欠点を除去するために成されたもので、画像データの符号化を効率的に行うことが可能であると共に、画質を向上させることが可能な、符号化装置、画像処理装置、符号化方法、及び記録媒体を提供することを目的とする。
【手続補正５】
【補正対象書類名】明細書
【補正対象項目名】０００６
【補正方法】変更
【補正の内容】
【０００６】
【課題を解決するための手段】
本発明の符号化装置は、所定サイズにブロック化された１フレーム又は１フィールドの入力画像に対してブロック単位で、動き補償を用いた符号化処理を行って出力する符号化装置であって、上記入力画像データを構成するブロックの中で、第１の所定位置に存在するブロックについて動きベクトルを検索する第１の検索手段と、上記第１の検索手段にて検索された各ブロックの動きベクトルから、上記入力画像全体の動きを表す第１の動きベクトルを生成する第１の生成手段と、上記第１の生成手段にて生成された第１の動きベクトルに基づいて、上記動き補償を用いた符号化処理を実行する符号化手段とを備え、上記第１の生成手段は、上記第１の検索手段で上記フレーム内の一部のブロックから検索された動きベクトルに基づいて上記第１の動きベクトルを生成することを特徴とする。
【手続補正６】
【補正対象書類名】明細書
【補正対象項目名】０００７
【補正方法】変更
【補正の内容】
【０００７】
また、本発明の符号化方法は、所定サイズにブロック化された１フレーム又は１フィールドの入力画像に対してブロック単位で、動き補償を用いた符号化処理を行って出力する符号化方法であって、上記入力画像データを構成するブロックの中で、第１の所定位置に存在するブロックについて動きベクトルを検索する第１の検索ステップと、上記第１の検索ステップにて検索された各ブロックの動きベクトルから、上記入力画像全体の動きを表す第１の動きベクトルを生成する第１の生成ステップと、上記第１の生成ステップにて生成された第１の動きベクトルに基づいて、上記動き補償を用いた符号化処理を実行する符号化ステップとを備え、上記第１の生成ステップは、上記第１の検索ステップで上記フレーム内の一部のブロックから検索された動きベクトルに基づいて上記第１の動きベクトルを生成することを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】